(57)【要約】１つの実施形態において、ワイアレスアクセスネットワーク帯域（例えば、ＧＡＮ帯域および／またはＵＭＡ帯域）におけると同様に、広域セルラネットワーク帯域（ＷＡＣＮ）においても動作可能であるユーザー設備（ＵＥ）装置にオペレータ区別型メッセージ送達を提供するための方式が開示される。ネットワークノード（例えば、ＧＡＮコントローラ（ＧＡＮＣ）またはＵＭＡネットワークコントローラ（ＵＮＣ））は、ＵＥ装置によって収集されるネットワーク情報と同様に、サービス要件を解決するための論理を備える。その論理に基づいて、応答メッセージは、そのＵＥ装置に伝えられ、この応答メッセージは、フリー形式のテキストにおいてオペレータ区別型情報を伝達するための補足フィールドを含む。
2008522461.tif 000002
【特許請求の範囲】
【請求項１】
少なくとも１つの帯域においてスキャニングを介してユーザー設備（ＵＥ）装置によってネットワーク情報を収集することと、
該ＵＥ装置によって該ネットワーク情報およびサービス要件のセットのうちの少なくとも１つをネットワークノードに登録依頼メッセージを介して伝達することと、
該登録依頼メッセージに応答して、応答メッセージを該ネットワークノードによって該ＵＥデバイスに伝達することであって、該応答メッセージは、オペレータ区別型テキスト情報を含む、ことと
を包含する、ネットワークメッセージ伝達方法。
【請求項２】
前記オペレータ区別型テキスト情報は、通話プランの価格情報を含む、請求項１に記載のネットワークメッセージ伝達方法。
【請求項３】
前記通話プランの価格情報は、前記ＵＥ装置を使用して動作可能な長距離電話サービスに関する、請求項２に記載のネットワークメッセージ伝達方法。
【請求項４】
前記通話プランの価格情報は、前記ＵＥ装置を使用して動作可能な国際電話サービスに関する、請求項２に記載のネットワークメッセージ伝達方法。
【請求項５】
前記応答メッセージは、ショートメッセージサービス（ＳＭＳ）メッセージを含む、請求項１に記載のネットワークメッセージ伝達方法。
【請求項６】
前記応答メッセージは、非構造化補足サービスデータ（ＵＳＳＤ）メッセージを含む、請求項１に記載のネットワークメッセージ伝達方法。
【請求項７】
前記ネットワーク情報は、登録された広域セルラネットワークのセルグローバル識別（ＣＧＩ）情報、利用可能な広域セルラネットワークに関するＣＧＩ情報、任意の先行登録の失敗に関する原因値、少なくとも１つの利用可能な広域セルラネットワークの放送管制チャンネル（ＢＣＣＨ）情報、および少なくとも１つの利用可能な広域セルラネットワークのパケット制御チャンネル（ＰＣＣＨ）情報のうちの少なくとも１つを含む、請求項１に記載のネットワークメッセージ伝達方法。
【請求項８】
前記サービス要件は、音声のみのサービス、データのみのサービス、音声およびデータのサービス、ＧＡＮサービス、ハンドオーバーサービス、前記ＵＥ装置と関連する通話プラン、および該ＵＥ装置と関連するロケーションエリア情報のうちの少なくとも１つを含む、請求項１に記載のネットワークメッセージ伝達方法。
【請求項９】
前記ネットワークノードは、デフォルトＧＡＮＣ、ホームネットワークＧＡＮＣ、および前記ＵＥ装置と関連するプロビジョニングＧＡＮＣのうちの１つを含む、請求項１に記載のネットワークメッセージ伝達方法。
【請求項１０】
前記ネットワーク情報および前記サービス要件のセットのうちの少なくとも１つは、前記ＵＥ装置によってジェネリックアクセス−リソースコントロール（ＧＡ−ＲＣ）ＲＥＧＩＳＴＥＲ  ＲＥＱＵＥＳＴメッセージを介して伝達される、請求項１に記載のネットワークメッセージ伝達方法。
【請求項１１】
前記応答メッセージは、ＧＡ−ＲＣ  ＲＥＧＩＳＴＥＲ  ＡＣＣＥＰＴメッセージを含む、請求項１０に記載のネットワークメッセージ伝達方法。
【請求項１２】
少なくとも１つの帯域においてスキャニングを介してネットワーク情報を収集するためのユーザー設備（ＵＥ）装置と関連する手段と、
該ネットワーク情報およびサービス要件のセットのうちの少なくとも１つをネットワークノードに登録依頼メッセージを介して伝達するための該ＵＥ装置と関連する手段と、
該登録依頼メッセージに応答して、応答メッセージを該ＵＥ装置に伝達するための該ネットワークノードに関連する手段であって、該応答メッセージは、オペレータ区別型テキスト情報を含む、手段と
を含む、ネットワークメッセージ伝達システム。
【請求項１３】
前記オペレータ区別型テキスト情報は、通話プランの価格情報を含む、請求項１２に記載のネットワークメッセージ伝達システム。
【請求項１４】
前記通話プランの価格情報は、前記ＵＥ装置を使用して動作可能な長距離電話サービスに関する、請求項１３に記載のネットワークメッセージ伝達システム。
【請求項１５】
前記通話プランの価格情報は、前記ＵＥ装置を使用して動作可能な国際電話サービスに関する、請求項１３に記載のネットワークメッセージ伝達システム。
【請求項１６】
前記応答メッセージは、ショートメッセージサービス（ＳＭＳ）メッセージを含む、請求項１２に記載のネットワークメッセージ伝達システム。
【請求項１７】
前記応答メッセージは、非構造化補足サービスデータ（ＵＳＳＤ）メッセージを含む、請求項１２に記載のネットワークメッセージ伝達システム。
【請求項１８】
前記ネットワーク情報は、登録された広域セルラネットワークのセルグローバル識別（ＣＧＩ）情報、利用可能な広域セルラネットワークに関するＣＧＩ情報、任意の先行登録の失敗に関する原因値、少なくとも１つの利用可能な広域セルラネットワークの放送管制チャンネル（ＢＣＣＨ）情報、および少なくとも１つの利用可能な広域セルラネットワークのパケット制御チャンネル（ＰＣＣＨ）情報のうちの少なくとも１つを含む、請求項１２に記載のネットワークメッセージ伝達システム。
【請求項１９】
前記サービス要件は、音声のみのサービス、データのみのサービス、音声およびデータのサービス、ＧＡＮサービス、ハンドオーバーサービス、前記ＵＥ装置と関連する通話プラン、および該ＵＥ装置と関連するロケーションエリア情報のうちの少なくとも１つを含む、請求項１２に記載のネットワークメッセージ伝達システム。
【請求項２０】
前記ネットワークノードは、デフォルトＧＡＮＣ、ホームネットワークＧＡＮＣ、および前記ＵＥ装置と関連するプロビジョニングＧＡＮＣのうちの１つを含む、請求項１２に記載のネットワークメッセージ伝達システム。
【請求項２１】
前記ネットワーク情報および前記サービス要件のセットのうちの少なくとも１つは、前記ＵＥ装置によってジェネリックアクセス−リソースコントロール（ＧＡ−ＲＣ）ＲＥＧＩＳＴＥＲ  ＲＥＱＵＥＳＴメッセージを介して伝達される、請求項１２に記載のネットワーク選択システム。
【請求項２２】
前記応答メッセージは、ＲＥＧＩＳＴＥＲ  ＡＣＣＥＰＴメッセージを含む、請求項２１に記載のネットワークメッセージ伝達システム。
【請求項２３】
ユーザー設備（ＵＥ）装置であって、
該ＵＥ装置を動作することに対して、適切なサービス要件のセットの識別を容易にするための論理モジュールと、
少なくとも１つの帯域におけるスキャニングを介してネットワーク情報を収集するため、ならびに該ネットワーク情報および該サービス要件のうちの少なくとも１つをネットワークノードに登録依頼メッセージを介して伝達するための通信サブシステムと、
該登録依頼メッセージに応答する応答メッセージを介して該ネットワークノードから受信されたオペレータ区別型テキスト情報を処理するための論理モジュールと
を備える、ユーザー設備（ＵＥ）装置。
【請求項２４】
前記オペレータ区別型テキスト情報は、通話プランの価格情報を含む、請求項２３に記載のＵＥ装置。
【請求項２５】
前記通話プランの価格情報は、前記ＵＥ装置を使用して動作可能な長距離電話サービスに関する、請求項２４に記載のＵＥ装置。
【請求項２６】
前記通話プランの価格情報は、前記ＵＥ装置を使用して動作可能な国際電話サービスに関する、請求項２４に記載のＵＥ装置。
【請求項２７】
前記応答メッセージは、ショートメッセージサービス（ＳＭＳ）メッセージを含む、請求項２３に記載のＵＥ装置。
【請求項２８】
前記応答メッセージは、非構造化補足サービスデータ（ＵＳＳＤ）メッセージを含む、請求項２３に記載のＵＥ装置。
【請求項２９】
前記依頼メッセージおよび前記応答メッセージは、ジェネリックアクセス−リソースコントロール（ＧＡ−ＲＣ）ＲＥＧＩＳＴＥＲ  ＲＥＱＵＥＳＴメッセージおよびＧＡ−ＲＣ  ＲＥＧＩＳＴＥＲ  ＡＣＣＥＰＴメッセージをそれぞれ含む、請求項２３に記載のＵＥ装置。
【請求項３０】
前記ネットワークノードは、デフォルトＧＡＮＣ、ホームネットワークＧＡＮＣ、および前記ＵＥ装置と関連するプロビジョニングＧＡＮＣのうちの１つを含む、請求項２３に記載のＵＥ装置。
【請求項３１】
前記ネットワーク情報は、前記ＵＥ装置が登録される広域セルラネットワークのセルグローバル識別（ＣＧＩ）情報、利用可能な広域セルラネットワークに関するＣＧＩ情報、任意の先行登録の不具合に関する原因値、少なくとも１つの利用可能な広域セルラネットワークの放送管制チャンネル（ＢＣＣＨ）情報、および少なくとも１つの利用可能な広域セルラネットワークのパケット制御チャンネル（ＰＣＣＨ）情報のうちの少なくとも１つを含む、請求項２３に記載のＵＥ装置。
【請求項３２】
前記サービス要件は、音声のみのサービス、データのみのサービス、音声およびデータのサービス、ＧＡＮサービス、ハンドオーバーサービス、前記ＵＥ装置と関連する通話プラン、パケットデータサービス能力、および無許可モバイルアクセス（ＵＭＡ）サービス能力のうちの少なくとも１つを含み、該サービス要件は、該ＵＥ装置と関連するロケーションエリア情報に基づいて選択可能である、請求項２３に記載のＵＥ装置。
【請求項３３】
ワイアレス環境に配置されたユーザー設備（ＵＥ）装置を使用して動作可能なジェネリックアクセスネットワークコントローラ（ＧＡＮＣ）であって、
ネットワーク情報およびサービス要件のセットのうちの少なくとも１つを該ＵＥ装置から登録依頼メッセージを介して受信する手段と、
該登録依頼メッセージに応答して、応答メッセージを該ＵＥ装置に伝達するように動作可能な手段であって、該応答メッセージはオペレータ区別型テキスト情報を含む、手段と
を含む、ＧＡＮＣ。
【請求項３４】
前記オペレータ区別型テキスト情報は、通話プランの価格情報を含む、請求項３３に記載のＧＡＮＣ。
【請求項３５】
前記通話プランの価格情報は、前記ＵＥ装置を使用して動作可能な長距離電話サービスに関する、請求項３４に記載のＧＡＮＣ。
【請求項３６】
前記通話プランの価格情報は、前記ＵＥ装置を使用して動作可能な国際電話サービスに関する、請求項３３に記載のＧＡＮＣ。
【請求項３７】
前記応答メッセージは、ショートメッセージサービス（ＳＭＳ）メッセージを含む、請求項３３に記載のＧＡＮＣ。
【請求項３８】
前記応答メッセージは、非構造化補足サービスデータ（ＵＳＳＤ）メッセージを含む、請求項３３に記載のＧＡＮＣ。
【請求項３９】
前記依頼メッセージおよび前記応答メッセージは、ジェネリックアクセス−リソースコントロール（ＧＡ−ＲＣ）ＲＥＧＩＳＴＥＲ  ＲＥＱＵＥＳＴメッセージおよびＧＡ−ＲＣ  ＲＥＧＩＳＴＥＲ  ＡＣＣＥＰＴメッセージをそれぞれ含む、請求項３３に記載のＧＡＮＣ。
【請求項４０】
前記ネットワークノードは、デフォルトＧＡＮＣ、ホームネットワークＧＡＮＣ、および前記ＵＥ装置と関連するプロビジョニングＧＡＮＣのうちの１つを含む、請求項３３に記載のＧＡＮＣ。
【請求項４１】
前記ネットワーク情報は、前記ＵＥ装置が登録される広域セルラネットワークのセルグローバル識別（ＣＧＩ）情報、利用可能な広域セルラネットワークに関するＣＧＩ情報、任意の先行登録の失敗に関する原因値、少なくとも１つの利用可能な広域セルラネットワークの放送管制チャンネル（ＢＣＣＨ）情報、および少なくとも１つの利用可能な広域セルラネットワークのパケット制御チャンネル（ＰＣＣＨ）情報のうちの少なくとも１つを含む、請求項３３に記載のＧＡＮＣ。
【請求項４２】
前記サービス要件は、音声のみのサービス、データのみのサービス、音声およびデータのサービス、ＧＡＮサービス、ハンドオーバーサービス、前記ＵＥ装置と関連する通話プラン、パケットデータサービス能力、および無許可モバイルアクセス（ＵＭＡ）サービス能力のうちの少なくとも１つを含み、該サービス要件は、該ＵＥ装置と関連するロケーションエリア情報に基づいて選択可能である、請求項３３に記載のＧＡＮＣ。
【発明の詳細な説明】
【技術分野】
【０００１】
（本開示の技術分野）
本特許開示は、一般的に通信ネットワークに関する。決して限定しないが、より特定すると、本特許出願は、広域セルラネットワーク（ＷＡＣＮ）スペースと相互接続され得る、ワイアレスアクセスネットワーク（ＡＮ）スペースにおいて動作可能であるワイアレスユーザー設備（ＵＥ）装置に、オペレータ区別型メッセージ送達を提供するためのシステムおよび方法に向けられる。
【背景技術】
【０００２】
（背景）
ワイアレスアクセスネットワークは、種々の電気通信ネットワーク環境の鍵となる要素となった。企業ネットワークに関しては、ワイアレスアクセスネットワークは、携帯型コンピュータおよび移動型ハンドヘルド装置を持ち運ぶ労働者のためのネットワークリソースならびに同様に装備された来訪客または一時的労働者のためのネットワークリソースへの便利な接続を提供する。ワイアレスアクセスネットワークはまた、設備が頻繁に移動または変更される環境において物理的なイーサネット（登録商標）ジャックを再配置することに対する費用効率の高い選択肢を提供する。さらに、例えば、ホテル、空港、レストランおよびコーヒーショップなどの公的な環境において、多様な通信装置／電算装置をもって動作可能なワイアレスアクセスポイントは、遍在しつつある。高速インターネットアクセスの増大により、ユーザーの家庭におけるアクセスポイントの使用もまた構想され、他の用途に向けて開始されている。
【０００３】
付随して、ユーザー設備（ＵＥ）の舞台における幾つかの発展もまた、ワイアレスアクセスネットワークによって提供される能力を利用して起きつつある。ワイアレスローカルエリアネットワーク（ＷＬＡＮ）などのワイアレスアクセスネットワークとインターフェースする能力と携帯電話とを一体化することは、特別な関心事である。このような「デュアルモード」装置が利用可能になることに伴って、１つの型のネットワークから他の型のネットワークへのサービスの効率的な移行を促進するために、携帯ネットワークとＷＬＡＮとの間に何らかの相互作用メカニズムが必要とされると認識されるべきである。
【０００４】
現在のＧＡＮの仕様は、適用可能な第三世代パートナーシップ計画（３ＧＰＰ）の標準に従って、ＵＥ装置（例えば、モバイルステーションまたはＭＳ）が発見され、そして可能とされる場合には、ＵＥ装置が、公共地上モバイルネットワーク（ＰＬＭＮ）などの広域セルラネットワーク（ＷＡＣＮ）上に登録され得ることを定めている。また、このＵＥ装置は、ＷＡＣＮ接続性のない場合の特定状況下で、ＧＡＮ上に登録することを可能にされる。さらに、無許可モバイルアクセス（ＵＭＡ）技術が同様に展開される場合にも、同様のネットワーク接続性動作に直面し得る。しかながら、特にＰＬＭＮへの接続性がＧＡＮベースのアクセスネットワークまたはＵＭＡベースのアクセスネットワーク経由で望まれる場合に、例えば、ナンバープランの互換性、サービスのハンドオーバー（ｈａｎｄｏｖｅｒ）、緊急通報（ほんの数例を挙げられたにすぎない）のようなシナリオにおいて、幾つかの重要な問題が生じる。
【発明の開示】
【課題を解決するための手段】
【０００５】
（図面の詳細な説明）
本特許開示は、広く言うと、ワイアレスアクセスネットワーク帯域（例えば、ＧＡＮ帯域および／またはＵＭＡ帯域）においてと同様に、広域セルラネットワーク帯域（ＷＡＣＮ）においても動作可能なＵＥ装置に、オペレータ区別型メッセージ送達を提供するための方式に向けられる。ネットワークノード（例えば、ＧＡＮコントローラ（ＧＡＮＣ）またはＵＭＡネットワークコントローラ（ＵＮＣ））は、ＵＥ装置によって収集されるネットワーク情報と同様に、サービス要件を解決するための論理を備える。その論理に基づいて、応答メッセージは、そのＵＥ装置に伝えられ、この応答メッセージは、フリー形式のテキストでオペレータ区別型情報を伝達するための補足的なフィールドを含む。
【０００６】
１つの局面において、ネットワークメッセージ伝達方法の実施形態が開示され、上記実施形態は、以下：少なくとも１つの帯域におけるスキャンを経由して、ＵＥ装置によってネットワーク情報を収集する工程；少なくとも１つのネットワーク情報およびサービス要件のセットを、登録依頼メッセージを経由してＵＥ装置によりネットワークノードに伝える工程；およびその登録依頼メッセージに応答して、ネットワークノードによるＵＥ装置に対する応答メッセージ、すなわち、オペレータ区別型テキスト情報を含む応答メッセージを伝える工程、を含む。
【０００７】
別の局面において、ネットワークメッセージ伝達方法の実施形態が開示され、上記実施形態は、以下：少なくとも１つの帯域におけるスキャンを経由してネットワーク情報を収集するためのＵＥ装置と関連する手段；ＵＥ装置と関連する手段であって、登録依頼メッセージを経由してネットワークノードに、少なくとも１つのネットワーク情報とサービス要件のセットを伝えるための手段；ネットワークノードに関連し、登録依頼メッセージに応答して、ＵＥ装置に対する応答メッセージを伝送する手段であって、該応答メッセージは、オペレータ区別型テキスト情報を含む手段、を含む。
【０００８】
なおもさらなる局面において、ＵＥ装置の実施形態が開示され、上記実施形態は、以下：ＵＥ装置を作動させることに関する適切なサービス要件のセットの識別を促進するための論理的モジュール；少なくとも１つの帯域におけるスキャニングを経由してネットワーク情報を収集するための通信サブシステムであって、上記収集されたネットワーク情報およびサービス要件の少なくとも１つを、登録依頼メッセージを介することによって、ネットワークノードに伝送する、通信サブシステム；ならびに上記登録依頼メッセージに応答して、応答メッセージ経由でネットワークノードから受信されるオペレータ区別型テキスト情報を処理するための論理的モジュール、を含む。
【０００９】
なおも別の局面において、ワイアレス環境に配置されるＵＥ装置をもって動作可能なＧＡＮＣノードの実施形態が開示され、上記実施形態は、以下：登録依頼メッセージを経由して、ＵＥ装置から少なくとも１つのネットワーク情報および１セットのサービス要件を受信するための手段；ならびにその登録依頼メッセージに動作可能に応答して、ＵＥ装置に対する応答メッセージ、すなわち、オペレータ区別型テキスト情報を含む応答メッセージを伝達する手段、を含む。
【００１０】
本特許開示のシステムおよび方法は、上記実施形態が最良に行われ、使用される方法についての種々の実施例に関連して以下に記載される。同じ参考番号が、同じ部品または対応する部品を示すために、複数の図面についての記載および幾つかの視図に渡って使用される（この種々の要素は、必ずしも一定の比率で描かれていない）。ここで上記図面に言及し、より特定すると図１を参照すると、本特許開示の実施形態が実施され得る代表的な一般化ネットワーク環境１００が、図１に示される。ユーザー設備（ＵＥ）装置１０２は、任意の携帯型コンピュータ（例えば、ラップトップ、パームトップもしくはハンドヘルド電算装置）、モバイル通信装置（例えば、携帯電話もしくは、メッセージの送受信、ウェブページ閲覧などが可能なデータ操作可能なハンドヘルド装置）、またはＥメール、ビデオメール、インターネットアクセス、企業データアクセス、メッセージ送達、カレンダー操作およびスケジューリング、情報管理などが可能な高性能パーソナルデジタルアシスタント（ＰＤＡ）装置または総合情報機器（好ましくは１つ以上の動作モードで動作可能である）を含み得る。例えば、ＵＥ装置１０２は、ワイアレスローカルエリアネットワーク（ＷＬＡＮ）帯域とともに携帯電話の帯域周波数、または可能であればワイアレスローカルエリアネットワーク（ＷＬＡＮ）帯域のみで動作し得る。さらに、ＵＥ装置がワイアレスに動作し得る他の帯域は、Ｗｉ−Ｍａｘ帯域または１つ以上の衛星帯域を含み得る。なおさらに、ネットワーク環境１００は、ＵＥ装置１０２にサービスを提供することが可能な３つの広いカテゴリーの通信スペースからなる。広域セルラネットワーク（ＷＡＣＮ）スペース１０４においては、携帯電話サービス（パケット交換データサービスを含んでもよいし、含まなくてもよい）を提供するために動作可能な任意の数の公共地上モバイルネットワーク（ＰＬＭＮ）が存在し得る。受信可能地域およびユーザーがローミングするかどうかに依存して、ＷＡＣＮスペース１０４は、幾つかのセルラＲＡＮ、関連ホームネットワーク（すなわち、ホームＰＬＭＮまたはホームＨＰＬＭＮ）１１０および訪問ネットワーク（すなわち、ＶＰＬＭＮ）１１２（各々は、ホーム位置登録（ＨＬＲ）ノード１１５、モバイル交換センター（ＭＳＣ）ノード１１６などの適切な構造基盤を有する）を含み得る。上記ＷＡＣＮスペース１０４はまた、モバイル通信（ＧＳＭ）ベースの搬送ネットワークのセルラ構造基盤を用いてモバイル装置に地球規模システム使用するためのパケットラジオアクセスを提供する一般パケットラジオサービス（ＧＰＲＳ）ネットワークをも含み得るので、ＧＰＲＳサポートノード供給（ＳＧＳＮ）１１４が、典型的に示される。さらに、一般化することにより、ＷＡＣＮスペース１０４のＰＬＭＮは、ＧＳＭ展開ネットワークのための高性能交信速度（ＥＤＧＥ）ネットワーク、総合デジタル高性能ネットワーク（ＩＤＥＮ）、符号分割多元アクセス（ＣＤＭＡ）ネットワーク、ユニバーサルモバイル通信システム（ＵＭＴＳ）ネットワーク、ユニバーサル地上波ラジオアクセスネットワーク（ＵＴＲＡＮ）、または任意の第三世代パートナーシップ計画（３ＧＰＰ）準拠ネットワーク（例えば、３ＧＰＰもしくは３ＧＰＰ２）の１つ以上を含む群から選ばれるネットワークを含み得、すべて周知の周波数帯域幅および周知のプロトコルをもって動作する。
【００１１】
さらに、ＵＥ装置１０２は、ＷＡＣＮスペース１０４と動作可能になるように関連するアクセスネットワーク（ＡＮ）スペース１０６からのサービスを入手するように動作可能である。１つの実施において、上記ＡＮスペース１０６は、１つ以上のジェネリックアクセスネットワーク（ＧＡＮ）１１８および任意の型のＷＬＡＮ装置１２０を含む。以下にさらに詳細に記載されるＧＡＮ１１８は、ＵＥ装置１０２とブロードバンドインターネットプロトコル（ＩＰ）ベースのネットワークを使用するＰＬＭＮコアネットワークとの間のアクセスサービスを提供するように動作可能である。ＷＬＡＮ装置１２０は、アクセスポイント（ＡＰ）または「ホットスポット」を経由して、ＵＥ装置１０２への短距離ワイアレス接続性を提供し、種々の標準、例えば、ＩＥＥＥ８０２．１１ｂ、ＩＥＥＥ８０２．１１ａ、ＩＥＥＥ８０２．１１ｇ、ＨｉｐｅｒＬａｎ標準およびＨｉｐｅｒＬａｎＩＩ標準、Ｗｉ−Ｍａｘ標準、ＯｐｅｎＡｉｒ標準およびＢｌｕｅｔｏｏｔｈ標準を使用して実施され得る。したがって、ＡＮスペース１０６はまた、セルラＲＮＡ（ＷＡＣＮスペース１０４の一部）と無許可ワイアレスネットワークとの間の継ぎ目のない移行を実現するためのＵＭＡネットワークコントローラ（ＵＮＣ）ノードを展開するＵＭＡベースのアクセスネットワークも含み得ると想定される。
【００１２】
１つの実施形態において、ＷＡＣＮスペースとＡＮスペースとの間をインターフェースすることは、特定の基準にしたがって実現され得る。例えば、ＧＡＮ１１８は、３ＧＰＰ  ＴＲ  ４３．９０１および３ＧＰＰ  ＴＳ  ４３．ｘｘｘのドキュメントおよび関連するドキュメントに示される手順を使用してＰＬＭＮコアとインターフェースされ得る。同様に、ＷＬＡＮ１２０は、３ＧＰＰ  ＴＳ  ２２．２３４、３ＧＰＰ  ＴＳ  ２３．２３４および３ＧＰＰ  ＴＳ  ２４．２３４のドキュメントおよび関連するドキュメントに示される手順を使用してＰＬＭＮコアとインターフェースされ得、それゆえに、相互作用ＷＬＡＮ（Ｉ−ＷＬＡＮ）装置として呼称され得る。
【００１３】
さらに、ＵＥ装置１０２への短距離ワイアレス接続性を提供するＷＡＣＮスペース１０４とインターフェースしないアクセスネットワーク（ＡＮ）スペース１０８が存在し得る。例えば、ＡＮスペース１０８は、「公共」アクセスポイント（ホテル、コーヒーショップ、本屋、アパート建造物、教育施設など（無料であろうと、有料であろうと））、企業アクセスポイントおよび訪問した（他の企業の）アクセスポイント（そのユーザーは、当該企業のメンバーでなくてもよいが、少なくとも幾つかのサービスを許容される）についての通信などの非３ＧＰＰサービスを提供するＷＬＡＮ１２２を含み得る。
【００１４】
ＵＥ装置１０２が置かれ得るワイアレスネットワーク環境１００のモザイク（ｍｏｓａｉｃ）を考慮すると、垂直移行メカニズムが存在し、そのユーザーが、ＰＬＭＮのラジオアクセスネットワーク（ＲＡＮ）からＧＡＮに移動（すなわち、移入）するとき、あるいはＧＡＮからＰＬＭＮのＲＡＮに移動（すなわち、移出）するときに、通話に従事し得ることが望ましい。本特許開示の目的のためには、「ＧＡＮ」または「ＷＬＡＮ」という用語は、互換性があり得、同様に、任意のＵＭＡベースアクセスネットワークもまた含み得ることが認識されるべきである。いずれにせよ、そのような機能性を促進し、同様にその機能性と関連する全体的なユーザー経験をカスタマイズし、エンハンスするために、本特許開示は、あるスキームを提供する。上記スキームにおいて、ＵＥ装置により収集されるネットワーク情報ならびにそのサービスオプション、計画、特徴など（より一般的には、「サービス要件」）に関する情報がワイアレス環境１００に配置されるネットワークノードに伝えられ、その結果、適切なネットワークベースの論理が、ＵＥ装置が使用し得る適切なネットワーク選択、適切なネットワークリストなどに応答するように動作可能となる。さらに、以下で詳細に見られるように、このようなネットワークベース論理は、１つ以上の相関関係およびフィルタリング方式、データベース検索を含み、より最適なネットワークへの転送が、一般化されたネットワーク環境１００において実現され得る手順を発動させ得る。
【００１５】
本開示の教示を形式化するために、ここでは図２が参照され、ネットワーク環境２００の代表的な実施形態が、図１に例示される一般化されたネットワーク環境１００のより具体的なサブセットであることが示される。示されるように、ＵＥ装置１０２は、ＵＥ装置１０２にアクセスし得る１つ以上のＧＡＮとの接続性を有することに加えて、従来のＲＡＮ構造基盤を介するアクセスを可能とするＰＬＭＮのセットを発見するために動作可能なように配置される。実施例として、ＧＡＮ−１  ２０２−１からＧＡＮ−Ｎ  ２０２−Ｎ（任意の型のＷＬＡＮおよび／またはＩ−ＷＬＡＮ装置（公知またはそれ以前は非公知）もまた含めるという本特許開示の目的のために一般化され得る）は、ＵＥ装置により発見されるように動作可能である。ＧＡＮは、１つ以上のＰＬＭＮへの接続性をサポートし得るか、または全くサポートし得ない（ＶＰＬＭＮ２０４−１から２０４−ＭおよびＵＥ装置１０２に関するＨＰＬＭＮ（例えば、ＨＰＬＭＮ２０６）を含み得る）。ＧＡＮ−ＰＬＭＮ接続性（特定のＧＡＮの背後のＰＬＭＮはＵＥ装置１０２に可視である）がサポートされるかどうかは、幾つかの商業的要素、例えば、ＧＡＮオペレータとＰＬＭＮオペレータとの間の契約上の取り決めに依存し得る。例示されるように、ＧＡＮ−１  ２０２−１は、ＶＰＬＭＮ−１  ２０４−１およびＶＰＬＭＮ−２２０４−２に対する接続性をサポートする。同様に、ＧＡＮ−２  ２０２−１は、ＶＰＬＭＮ−Ｍ  ２０４−ＭおよびＨＰＬＭＮ２０６に対する接続性をサポートする。一方で、ＧＡＮ−Ｎ  ２０２−Ｎは、広域ＰＬＭＮに対する接続性を有しない。
【００１６】
周知のように、広域セルラＰＬＭＮの各々は、各セルがセクター（例えば、代表的には、基地局（ＢＳ）ごと、またはセルごとに３つの１２０度のセクター）を有して、幾つかのセルとしてアレンジされ得る。各セルは、基礎となるＷＡＣＮ技術に依存して多様であり得るセル識別性を提供され得る。例えば、ＧＳＭネットワークにおいては、個々のセル各々は、セルを識別するためにセルグローバル識別（ＣＧＩ）パラメータを提供される。セルのグループは、ロケーションエリア（ＬＡ）として一般に設計され、そして、ＬＡ識別名によって識別され得る。さらに、マクロレベルにおいては、上記ＰＬＭＮは、基礎となる技術にしたがって識別され得る。例えば、ＧＳＭベースのＰＬＭＮは、モバイル国コード（ＭＣＣ）およびモバイルネットワークコード（ＭＮＣ）からなる識別名によって識別され得る。同様に、ＣＤＭＡ／ＴＤＭＡベースのＰＬＭＮは、システム識別（ＳＩＤ）パラメータによって識別され得る。上記セルラ構造基盤に関らず、全てのセルは、マクロレベルのＰＬＭＮ識別名を放送し、サービスを入手することを望むワイアレス装置（例えば、ＵＥ装置１０２）は上記ワイアレスネットワークを識別し得る。
【００１７】
図３は、広域セルラＰＬＭＮ３０６が、ＧＡＮ３０２および関連コントローラ（ＧＡＮＣ）３０４を通してＵＥ装置１０２にアクセスし得る場合の代表的なネットワークシステム３００の機能ブロック図を示す。基本的に、示される実施形態において、ＧＡＮ３０２は、ＰＬＭＮ３０６の周知のＡ／Ｇｂインターフェースへのアクセスを提供するブロードバンドＩＰベースのアクセスネットワークとして動作可能である（ＧＡＮＣ３００は、アップリファレンスポイントインターフェース３０３を経由してＧＡＮ３０２に組み合わされるネットワークノードである）。適用可能な３ＧＰＰ仕様ドキュメントにおいて定められるように、アップリファレンスポイント３０３は、ＧＡＮＣ３０４とＵＥ装置１０２との間のインターフェースを定義する。上記ＧＡＮがＧＳＭ／ＥＤＧＥ  ＲＡＮ（ＧＥＲＡＮ）構造基盤と共存するように動作可能である場合に、このＧＡＮは、標準ＧＥＲＡＮ基地局サブシステム（ＢＳＳ）ネットワーク要素により使用されるのと同じＡ／Ｇｂインターフェースを経由してコアＰＬＭＮと相互接続する。したがって、ＧＡＮＣ３０４の機能性は、ＧＥＲＡＮ  ＢＳＳ（この図には図示されず）の機能性をエミュレートするために必要なプロトコル相互作用を含む。Ａ−インターフェース３０５は、ＧＳＭベースの回路交換（ＣＳ）サービスに対するインターフェースを定義し、ＧＡＮＣ３０４とＰＬＭＮ３０６のＭＳＣ３１０との間に配置される。Ｇｂ−インターフェース３０７は、ＧＰＲＳベースのパケット交換（ＰＳ）サービスに対するインターフェースを定義し、ＧＡＮＣ３０４とＰＬＭＮ３０６のＳＧＳＮ３１０との間に配置される。セキュリティゲートウェイ（ＳＧＷ）３１１はまた、ＰＬＭＮ３０６（ＨＬＲ３１６は、ＡＡＡノード３１２と動作可能なように組み合わされる）に配置される認証、許可および精算（ＡＡＡ）プロキシ／サーバーノード３１２と、Ｗｍレファレンスポイント３０９（３ＧＰＰ  ＴＳ  ２３．２３４により定義されるように）を経由して、インターフェースされるＧＡＮＣ３０４にも含まれ得る。当業者は、同様の構造基盤がＵＭＡベースの実施（ＵＭＡネットワークコントローラまたはＵＮＣは、一般にＧＡＮＣ３０４と同じ方法で動作可能である）において展開され得ることを認識する。
【００１８】
動作において、ＧＡＮＣ３０４は、Ａ／Ｇｂインターフェースの観点から見られるＧＥＲＡＮ構造における基地局コントローラ（ＢＳＣ）の役割を模倣することによってコアＰＬＭＮ３０６にＧＥＲＡＮ  ＢＳＳ  ネットワーク要素と見える。したがって、ＧＡＮＣ３０４が接続されるＰＬＭＮ３０６は、ＢＳＣによりサポートされるラジオアクセスとは異なるＧＡＮＣによりサポートされる基礎アクセスメカニズムに気付かない。既に言及されたように、ジェネリックアクセス（ＧＡ）操作可能ユーザー設備装置１０２とＧＡＮＣ３０４との間に配置されるＧＡＮ３０２は、適切なブロードバンドＩＰネットワークにより実現され得る。ＧＡＮＣ３０４により提供される全体的機能性は、以下：
−ＵＥへの／ＵＥからの音声およびＭＳＣからの／ＭＳＣへのＰＣＭ音声の適切なトランスコードを含む、アップインターフェースに対するＣＳベアラとＡ−インターフェースに対するＣＳベアラとを相互作用させる工程、を含むユーザー平面のＣＳサービス。
−アップインターフェースに対するデータトランスポートチャンネルとＧｂインターフェースに対するパケットフローとを相互作用させる工程、を含むユーザー平面のＰＳサービス。
−制御平面の機能性は、以下：（ｉ）相互認証、暗号化およびデータ整合に対するＵＥをもっての保護トンネル設置のためのＳＧＷ；（ｉｉ）ＧＡＮサービスアクセスのための登録およびシステム情報の提供；（ｉｉｉ）ＣＳサービスおよびＰＳサービス（例えば、確立、管理ならびに信号方式の解体およびＵＥとＧＡＮＣとの間のユーザー平面ベアラ）に対するＧＡＮベアラ経路の設定；ならびに（ｉｖ）ページングおよびハンドオーバーに対するなどのＧＳＭラジオ源（ＰＲ）管理およびＧＰＲＳラジオリンク制御（ＲＬＣ）に等しいＧＡＮ機能、を含む。
【００１９】
図４Ａは、図３に示されるネットワークシステム３００と関連するＣＳドメイン信号送信平面をもって、動作可能なプロトコルスタック４００Ａの例示的実施形態を示す。同様に、図４Ｂは、ネットワークシステム３００と関連するＰＳドメイン信号送信平面をもって動作可能なプロトコルスタック４００Ｂの例示的実施形態を示す。Ａ／Ｇｂインターフェースおよび関連構造へのジェネリックアクセスに関するさらなる詳説は、本明細書の既述部分により参考として援用された米国特許仮出願において識別される適用可能な３ＧＰＰ仕様において見出され得る。さらに、本特許開示の教示の広範な一般化と整合させるために、「アクセスネットワークサーバー」は、既に示されたコアＰＬＭＮとＵＥとの間（特定の実施としてＧＡＮＣまたはＵＮＣを含み得る）をインターフェースするように動作可能なネットワークノードまたはネットワーク要素を包含し得る。
【００２０】
図１および図２に関する本明細書の既述部分に記載されるネットワーク環境などの一般化ネットワーク環境内において提供される種々のＧＡＮ／ＷＬＡＮおよびＰＬＭＮのモザイクを考慮すると、ＵＥ装置と利用可能なＷＡＣＮ（すなわち、ＰＬＭＮ）との間のアクセスを提供する観点からも、幾つかのＧＡＮ／ＧＡＮＣ構成が可能であることは、当業者には明白であるべきである。図５Ａは、単一のアクセスネットワーク（ＡＮ）５０２が、１つの実施形態（各ＰＬＭＮは、対応するＧＡＮＣにより機能させられる）に従って、複数のＰＬＭＮ５０４−１から５０４−Ｋに接続するために動作可能である、ネットワーク装置５００Ａを示す。例示として、ＡＮ５０２は、上述ＧＡＮＣプロトコル（複数のアップインターフェース５０３−１から５０３−Ｋ、ＧＡＮＣと結合するためにサポートされる）をもって動作可能であるＷＬＡＮであり得るＧＡＮとして一般化され得る。参考番号５０６−１から５０６−Ｋは、各々がそれと関連する特定のＰＬＭＮ（ＭＳＣ５０８−１から５０８−ＫおよびＳＧＳＮ５１０−１から５１０−Ｋは、個々のＰＬＭＮ構造基盤の例示である）とインターフェースするために複数の個別のＧＡＮＣノードを参照する。当業者は、各ＰＬＭＮはＳＧＳＮノードをもって提供され得るが、ＳＧＳＮは、本開示の目的のための要件ではなく、ＰＬＭＮ５０４−１から５０４−Ｋは、異なる広域セルラ技術、プロトコルおよび標準に従って実施され得ることを理解すべきである。
【００２１】
ここで図５Ｂを参照すると、ＡＮ５０２（ＧＡＮまたはワイアレスＬＡＮ）が、複数の仮想ＧＡＮＣ区分５５２−１から５５２−Ｋをサポートする単一の物理的ＧＡＮＣ５５０を経由して、複数のＰＬＭＮ５０４−１から５０４−Ｋに接続するために動作可能である、別のネットワーク装置５００Ｂが、そこで示される。各仮想ＧＡＮＣ（ＶＧＡＮＣ）は、対応するＰＬＭＮに関する必須のＡ／Ｇｂインターフェース機能を提供するために独立して動作可能である。したがって、ＰＬＭＮが接続するＰＬＭＮ当たり１つの論理ＧＡＮＣがある。このような展開は、ＷＬＡＮ接続性をサポートするＰＬＭＮが独自のＧＡＮＣを所有し動作させる必要に見合わない場合に使用され得る。
【００２２】
上述の議論に基づいて、ＧＡＮ構造は、既存のプロトコル、例えば、ＧＰＲＳ（それにより、ほとんどの、またはすべての適用作業または標準化作業がコアで実行される必要がない）を利用することにより３ＧＰＰ準拠ＷＡＣＮとＷＬＡＮとを相互作用させるための一般化構造を提供することが認識されるべきである。これは、上記信号発信およびユーザー平面交信を無傷（ｉｎｔａｃｔ）に保ち、サービスが、ＧＡＮ／ＷＬＡＮから３ＧＰＰ準拠ＷＡＣＮへハンドオーバーされる（およびその逆）ことを可能にする。しかしながら、ＣＳ交換プロトコルおよびＧＰＲＳプロトコル（論理リンク制御またはＬＬＣおよびサブネットワーク依存集中プロトコルまたはＳＮＤＣＰ）が使用されるときに、選択されるＧＡＮ／ＷＬＡＮは、ＧＡＮ／ＷＬＡＮ交信を終了させるために使用されるＭＳＣ／ＳＧＳＮと同じＰＬＭＮにあるＭＳＣ／ＳＧＳＮに達し得なければならない。さらに問題を複雑にすることには、ＧＡＮ／ＷＬＡＮは、本明細書の既述部分に記載される独立的に発見可能な個々のＧＡＮＣノードを各々が有する多数のＰＬＭＮと接続し得ることである。ユーザーが、このようなＧＡＮ／ＷＬＡＮ環境に直面する場合に、特定のＧＡＮＣの選択を定義するための標準化された手順は現在存在しない。結果として、全体的なユーザー経験および通話ハンドオーバー行為が、消極的に影響を受け得る、幾つかの潜在的な問題を生じる。例えば、デュアルモードにおいて（すなわち、２つの異なる技術、例えば、好ましくは別個の帯域において）動作するＧＡ準拠ＵＥ装置は、マクロＰＬＭＮまたはマクロＷＡＣＮを発見し、引き続いて、異なるＷＡＣＮに属するＧＡＮＣを選択する場合には、ＡＮとＷＡＣＮとの間のハンドオーバーは機能しない。このような問題はまた、単一のＧＡＮＣが、幾つかの個別に発見可能なＶＧＡＮＣ区分をサポートするために分割される、ネットワーク装置において生じ得る。
【００２３】
さらに、異なる領域および異なる国における種々の水準の技術浸透および技術展開のために、上記ＡＮスペースおよび上記ＷＡＣＮスペースが、ＧＡＮ／ＷＬＡＮ手法を使用してインターフェースされ得る場合に、さらなる複雑性が生じ得る。例えば、ＧＡ準拠ＵＥ装置は、ＷＡＣＮの通信範囲にはないがＷＬＡＮの通信範囲にある地域に自らが存在することを検出し得る。１つ以上のＷＬＡＮが、ＧＡＮ構造よりもむしろＩ−ＷＬＡＮ手法に基づく場合に、種々の制御プロセスにおける相違、例えば、登録、登録解除などに起因するのみならず、制御プロセス間に存在し得るサービスの相違がいかなるものであるとしても、ＵＥは、ＧＡＮとＩ−ＷＬＡＮとを区別することが好ましい。本特許開示の範囲を強調する目的のために、幾つかのユーザー経験と関連する問題が以下に示される。
−上記ＵＥは、現在ＷＡＣＮに登録されない。ここで、このＵＥは、最善または最適なプロバイダーを選択するために、ＵＥが存在する国（すなわち、ＭＣＣは非公知）を決定するために、セルラ帯域信号をチェックし得ない。ＨＰＬＭＮは、通常最初に選択されるが、ＶＰＬＭＮプリファレンスは、位置（例えば、国）に依存し得る。この状態において、このＵＥは、ＵＥが、利用可能なＧＡＮ／ＷＬＡＮを調査している場合に、いずれのＶＰＬＭＮと接続するのが好ましいかを知り得ない。
−加入者識別モジュール（ＳＩＭ）またはそのユーザーと関連する除去可能なユーザー識別モジュール（ＲＵＩＭ）に関するオペレータの「好ましいＰＬＭＮ」リストは、ＰＳデータサービス（例えば、ＧＰＲＳ能力）または無許可モバイルアクセス（ＵＭＡ）サービスなどの他のサービスに対するＵＥの必要を考慮しない。上記ＰＬＭＮリストが、ＣＳ音声ローミングの取り決めのみに基づき、結果として、そのユーザーが、Ｅメールおよび他のデータサービスを利用し得ない場合に、そのような状態は生じ得る。当業者は、ＧＡＮが使用されようと、Ｉ−ＷＬＡＮが使用されようと、このような問題が生じ得ることを認識し得る。
−ＰＬＭＮに対するオペレータ制御リストの幾つかまたは全てが最新であり得ないか、またはＵＥが動作している国に対する特定の加入が最新ではあり得ない。
−ＨＰＬＭＮがセルラ帯域に対するリストを最新にする能力を独占するので、ＨＰＬＭＮは、休止時間中、またはＵＥがＩ−ＷＬＡＮもしくはＧＡＮに対して接続される場合にリストを最新にすることを望み得る。
−ＵＥがＭＣＣを決定することを可能にするＷＡＣＮ信号が存在しない場合に、ＵＥまたは（マニュアル）ユーザー入力およびＷＡＣＮ  ＭＣＣの最近の（すなわち、時刻印された）情報におけるＡＧＰＳ（補助的全地球測位システム）の利用可能性は、有用であり得る。
−国境に近い動作の場合は、ユーザー選択または「最小コスト」選択を可能にして、ＵＥが１つ以上のＭＣＣからの信号を入手する結果になり得る。
【００２４】
当業者は、既に示されたリストは、限定的ではなく純粋に例示的であることを認識すべきである。本明細書を参照すると、ＧＡＮ／ＷＬＡＮスペースとＰＬＭＮスペースとの間でインターフェースする状況下において、ユーザー経験および通話行為に関して種々の関連する問題が明らかになり得ることが想定される。
【００２５】
本開示の目的のために、ＧＡ能力を有するＵＥは、上記２つの特定の特徴および特定能力が、適用可能な仕様ならびにそれらの仕様に対して為され得る任意の改変および変更に依存して多変動し得るが、ネットワーク発見およびネットワーク選択手順における特定の相違をもって、自動モードまたは手動モードのいずれかで動作し得る。一般に、上記手動モードは、利用可能なＰＬＭＮ、使用されるべきベアラ、場合によっては、ＷＬＡＮまたは他の無許可ラジオ技術（すなわち、Ｉ−ＷＬＡＮ，ＧＡＮ，またはＷＬＡＮを通したＰＬＭＮへの接続だけ）を使用する場合に使用されるべき方法のより詳細な選択／フィルタリングを、ユーザーが行うことに可能にする。ネットワーク発見およびネットワーク選択に関するさらなる詳細は、既に参照された米国特許仮出願および米国非仮特許出願のうちの１つ以上に見出され得る。
【００２６】
ここで図６を参照すると、１つの実施形態（ＵＥ装置がＧＡＮ／ＷＬＡＮスペースおよびＷＡＣＮスペースを含むネットワーク環境に配置される）に従った一般化されたネットワーク発見および一般化ネットワーク選択方式についてのフローチャートが、そこに示される。例示されるように、図６のフローチャートは、ＵＥ装置が、起動および初期の発見（適用可能な３ＧＰＰ準拠手順にしたがって）に関する適切なネットワーク情報を収集する方法を取り込んでおり、次いで、この情報は、好ましくはネットワークノードにもまた告知され得るＵＥ装置のサービス要件を考慮して、より最適なネットワーク装置（すなわち、適切なＧＡＮＣ＋ＰＬＭＮの組み合わせ）を決定するためにネットワークノードに伝達される。したがって、ＵＥが発見したネットワーク情報およびそのサービス要件を実現することにより、上記ネットワークノードは、より良いサービスの具体化（より適切なネットワーク、位置をベースにしたフィルタリングなどに対する転送を含み得る）を入手するためにＵＥ装置に対して適切な指令を提供するために敏感に反応する。
【００２７】
ブロック６０２における図６への参照を継続すると、ＵＥ装置は、１つ以上のＷＡＣＮ技術、帯域および周波数に関するスキャンを経由して、ネットワーク情報を収集する。さらに、または別に、このＵＥ装置はまた、１つ以上のＧＡＮ／ＷＬＡＮ技術、帯域および周波数に関するスキャンを経由して、ネットワーク情報を収集することに適順応する（ブロック６０４）。その後、このＵＥ装置は、収集されたネットワーク情報およびサービス／特徴要件（例えば、音声のみのサービス、データのみのサービス、音声とデータとのサービス、ＧＡＮサービス、ハンドオーバーサービス、ＵＭＡサービス能力、ＵＥ装置と関連する通話プラン、および／またはＵＥ装置と関連するロケーションエリア情報、など）を、ネットワークノードに伝達する（ブロック６０６）。１つの実施形態において、収集されたネットワーク情報は、上記ＵＥ装置が登録されるＷＡＣＮのセル同一性情報（すなわち、登録されたＧＳＭ／ＧＥＲＡＮについてのＣＧＩ情報）、他の利用可能な広域セルラネットワークに関するＣＧＩ／セルＩＤ情報、任意の先行登録失敗の原因値、少なくとも１つの利用可能な広域セルラネットワークについての放送管制チャンネル（ＢＣＣＨ）情報および少なくとも１つの利用可能な広域セルラネットワークについてのパケット制御チャンネル（ＰＣＣＨ）情報のうち少なくとも１つを含み得る。本明細書の既述部分で言及されるように、１つの実施形態において、ＷＡＣＮは、それらの｛ＭＣＣ、ＭＮＣ｝との組み合わせにより識別され得る。また、特定ＷＡＣＮがデータ能力（例えば、ＧＰＲＳ能力がある）があるかどうかを識別するなどのさらなる特徴もまた、提供され得る。上記ＵＥ装置が、種々のネットワークリストに基づき、記憶され、または他の方法で動作するために適応する範囲においては、禁じられたＧＡＮ／ＰＬＭＮリスト、優先ＧＡＮ／ＰＬＭＮリスト（例えば、加入者識別モジュール（ＳＩＭ）もしくはリムーバブルユーザー識別モジュール（ＲＵＩＭ）において、または装置メモリーにおいて、記憶され得る）などのさらなる選択基準およびフィルタもまた、ネットワークノードに提供され得る。さらなる実施において、上記ＵＥはまた、ＷＡＣＮ通信範囲および／またはＷＡＮ通信範囲だけを提供するＰＬＭＮをリストし得る。
【００２８】
既に示されたスキャン動作は、能動スキャン法または受動スキャン法を経由して実施され得ることが理解されるべきである。また、ＧＡＮおよび／またはＰＬＭＮをもって動作可能な１つ以上の帯域があり得る。１つの実施例において、周波数帯域は、４５０ＭＨｚ、８５０ＭＨｚ、９００ＭＨｚ、１８００ＭＨｚ、１７００ＭＨｚ、１９００ＭＨｚ、２１００ＭＨｚ、２７００ＭＨｚ、または他の周波数および／または任意の衛星帯域からなる群から選ばれ得る。
【００２９】
上記ＵＥ装置からの収集されたネットワーク情報、サービス要件情報および／または位置情報を受信する、ネットワークノードと関連するサービス論理は、さらなるまたは別のネットワーク装置がＵＥ装置のために利用可能かどうかに関する決定が為され得るように、受信情報の他の集合体を考慮して、ＵＥ装置により依頼されるサービス要件を解決するように動作可能である。幾つかの実施において、このような解決は、さらなるネットワークノードおよびデータベース（例えば、ＨＰＬＭＮおよび／またはホームＧＡＮＣ、サービスデータベース、ローミングデータベースなど）とインターフェースする工程を含み得る。その後、任意のさらなるまたは別のネットワーク装置に関する適切な情報を含む上記ＵＥ装置に対する適切な応答メッセージを経由して、適切な指令が提供され得る。これらの動作は、ブロック６０８に例示される。ネットワークノードから受信された指令に基づいて、次いで、上記ＵＥ装置は、適切なサービス（時々ネットワーク転送（ブロック６１０）を保証し得る）を入手することに従事し得る。
【００３０】
図７Ａおよび図７Ｂは、既に示されたネットワーク情報収集プロセスの例示的なシナリオのフローチャートを描く。現在、適用可能なＧＡＮ仕様は、ＵＥ装置（例えば、モバイルステーション（ＭＳ））が、最新の３ＧＰＰネットワーク選択手順に従って発見かつ許容される場合に、ＧＳＭ／ＧＥＲＡＮ  ＰＬＭＮに最初に登録することを述べる。したがって、図７Ａで例示されるプロセスの流れは、ＧＥＲＡＮ  ＰＬＭＮネットワーク（ブロック７０２）に対して利用可能な帯域をスキャンすることで始まる。発見された各ＧＥＲＡＮ  ＰＬＭＮに対して、情報が入手かつ記憶される（ブロック７０４、ブロック７０６およびブロック７０８）、例えば、ＣＧＩ情報、ＢＣＣＨおよび／またはＰＣＣＨ情報などである。次いで、上記ＵＥ装置は、選択かつ３ＧＰＰ仕様（ＵＥのネットワークリスト、選好および他のフィルタにより媒介され得る）に従ってＧＥＲＡＮ  ＰＬＭＮ（ブロック７１０）に登録する。特定のＰＬＭＮに登録することに失敗する場合には、失敗の理由は、原因値として記憶される（ブロック７１２およびブロック７１４）。一度失敗の理由が記憶されると、その登録プロセスは、３ＧＰＰ仕様に従って発見されたさらなるＰＬＭＮに関して繰り返され得る（ブロック７１６）。一方で、ＰＬＭＮが成功する場合、またはＰＬＭＮなしの登録が成功し、ＵＥ装置がＧＡＮのみのモードで動作することを許容される場合には、さらなるプロセスの流れがそれに応じて継続し得る（ブロック７１８）。しかしながら、ＰＬＭＮ登録が成功するが、当該ＰＬＭＮがＧＡＮ接続性をサポートしない場合には、ＵＥ装置のサービス選択行為に消極的に影響し得る種々の問題が生じ得る。
【００３１】
ＧＡＮモードで動作することに関して、ＵＥ装置は、ＵＥ装置が当初の接続性を確立するＧＡＮＣノードに幾つかの情報要素を提供するように動作可能である。好ましくは、上述の議論において指摘されたように、このような情報は、他の域帯または他のモードおよび他のサービス要件におけるスキャンを経由して収集されるネットワーク情報を含み得る。特に図７Ｂを参照すると、ＰＬＭＮへの登録が成功すると、または任意のＰＬＭＮへの登録が失敗すると（ブロック７５０）、ＵＥ装置は、好ましくは適用可能な３ＧＰＰ仕様に従って、ＧＡＮネットワークを探索するように動作可能である（ブロック７５２）。一度、ユニフォームリソースロケータ（ＵＲＬ）またはＧＡＮＣノードのＩＰアドレスが入手されると（ブロック７５４）、ＵＥ装置は、例えば、公知のジェネリックアクセス−リソース制御（ＧＡ−ＲＣ）登録依頼メッセージ送達を使用してＧＡＮＣに登録する（ブロック７５６）。先行する節に示された議論に従うと、上記ＧＡＮＣに対するこのような登録メッセージは、以下の任意のものの任意の組み合わせを含み得る。
−利用可能な場合には、登録されたＧＥＲＡＮ  ＣＧＩ情報、
−上記登録が音声および／またはデータのためであるかどうか、
−ＵＥ装置により要求されるサービスおよび特徴、例えば、音声のみのサービス、データのみのサービス、音声およびデータのサービス、ＧＡＮサービス、マルチメディアサービス、付加価値サービスなど、
−ハンドオーバーが必要とされるかどうか、
−ホームカントリー通話のみの通話が必要とされるかどうか、
−先行するＧＥＲＡＮ  ＰＬＭＮ登録試行および失敗に対する関連原因値、
−上記登録依頼が、ＧＥＲＡＮ  ＰＬＭＮ情報を含み得、その登録には成功したが、ＧＡＮＣリダイレクトが受信されたこと。そこで識別された任意のＶＰＬＭＮ情報は、そのようにマークされ得る以下の明細書中に詳細に記載される、
−他の利用可能なＰＬＭＮに対するＣＧＩ情報、
−利用可能なＰＬＭＮに対するＢＣＣＨ／ＰＣＣＨ情報、例えば、１つの実施において、すべての利用可能なＰＬＭＮに対するＢＣＣＨ／ＰＣＣＨ情報が含まれる。他の実施においては、利用可能なＰＬＭＮの一部に対するＢＣＣＨ／ＰＣＣＨ情報が含まれ得る。
【００３２】
さらに、ＧＡＮＣの認証および登録が成功すると、さらなるネットワーク情報が、ブロック７５８に例示されるように、ＵＥ装置（例えば、適切な応答メッセージを介する適切なネットワーク装置）により収集され得る。
【００３３】
当業者は、既に示されたＵＥ装置による当初のネットワーク発見および登録プロセスの後に登録プロセスが行われた場合に、さらなる動作および／または情報要素が含まれ得ることを、明細書を参考にすると、認識するべきである。例えば、ＷＡＣＮスペース（例えば、ＧＥＲＡＮ）に関して、ＵＥ装置がＧＡＮＣノード（以下にさらに詳細に示される個別メッセージまたは一般転送メッセージの一部であり得る）からの転送メッセージを受信する場合に、ＵＥ装置は、幾つかの方式で最新の供給ＧＥＲＡＮ  ＶＰＬＭＮから登録解除し、ＶＰＬＭＮに登録を試行し得る。例示として、ＶＰＬＭＮは、ＵＥ装置によりフォローされ得る幾つかの優先オーダーでＧＡＮＣにより提供され得る。一方、オーダーが提供されなかった場合には、ＶＰＬＭＮは、供給されたリストからランダムに選択され得る。ＧＡＮスペースにおける引き続いての登録に関して、ＵＥ装置が別のＶＰＬＭＮにリダイレクトされ、当該新ＶＰＬＭＮをもっての登録が成功する場合に、ＵＥ装置は、以前と同じＧＡＮを使用するホームＧＡＮＣをもって再登録する必要があり得る。一方、ＵＥ装置は、当該情報が転送ＧＡＮＣにより利用可能にされた場合、新ＶＰＬＭＮと関連するＧＡＮＣをもって登録し得る。なおもさらなる改変において、上記ＧＡＮＣからの指令による引き続いてのＧＡＮＣ登録は存在し得ない。
【００３４】
先行する節において記載されたＷＡＣＮとＧＡＮとの間のインターフェーシングを考慮すると、最適サービスを可能にする適切なＰＬＭＮとＧＡＮＣの組み合わせを選択することは、幾つかの要素、例えば、サービス要件、利用可能なネットワーク情報、サービス能力、位置情報などに基づいて調節され得る。供給ネットワークノード（例えば、既定ＧＡＮＣまたは作成中のＧＡＮＣ）がＵＥ装置から適切な情報を受信する場合に、サービス論理の少なくとも一部は、ホームＧＡＮＣまたはＶＰＬＭＮと関連するＧＡＮＣがこのＵＥ装置にサービスを提供するべきかどうかを解決する工程を含む。図８Ａおよび図８Ｂは、本特許開示の実施形態に従ったＧＡＮＣ選択および任意の転送と関連する２つのフローチャートである。上記供給ネットワークノードがＵＥ装置（ブロック８０２）からの情報を受信する場合に、このノードと関連するサービス論理は、（ｉ）ローカルホームネットワーク通話が必要とされるかどうか、および／または（ｉｉ）ハンドオーバーが必要とされず、ＶＰＬＭＮ  ＧＡＮＣが使用され得ないかどうか、を決定する（ブロック８０４）。上記に該当する場合には、上記ネットワークノードは、ホームネットワークＧＡＮＣを選択するようにＵＥ装置に指令を提供する（ブロック８０６）。一方で、ＵＥ装置から受信した情報に基づいて（ブロック８２０）、上記ネットワークノードサービス論理は、（ｉ）サービスのハンドオーバーが必要とされるかどうか、および／または（ｉｉ）ＶＰＬＭＮダイアルプランが必要とされるかどうかを決定する（ブロック８２２）。この場合には、上記ネットワークノードは、ＶＰＬＭＮ関連ＧＡＮＣを選択するようにＵＥ装置に指令を提供する（ブロック８２４）。
【００３５】
上記サービス論理は、好ましくは、サービス要件および特徴要件の組み合わせならびにＵＥ装置から受信されたネットワーク情報に基づいて、幾つかのサービスシナリオを評価し、解決するために動作可能であることが明らかであるべきである。例示的なサービスシナリオに関するさらなる詳説およびフローチャートは、１つ以上の既に参照された米国仮特許出願および米国非仮特許出願（本明細書により参考として援用される）に見出され得る。特定の例示的なシナリオにおけるネットワークサーバーノードによるワイアレスＵＥ装置にオペレータ区別型メッセージ送達を提供することに関する議論は、以下に示される。
【００３６】
ここで図９に言及すると、本開示の１つの実施に従ってワイアレスＵＥ装置にオペレータ区別型メッセージ送達を提供するための方式と関連するフローチャートが、そこに示される。このフローチャートに例示されるように、上記実施は、ＨＰＬＭＮサービスだけがＵＥ装置により依頼されるシナリオ（ブロック９０２）を例示する。音声のみのサービス（ブロック９０４）または音声とデータのサービス（ブロック９０６）が依頼される場合に（ＵＥ装置の作動モードまたは使用される仕様に少なくとも一部分基づいて決定され得る）、ＷＡＣＮスペースに登録されたＰＬＭＮは、受容可能であると考えられる（ブロック９０８）。次いで、ＵＥ装置は、適切な登録依頼メッセージ（例えば、ＧＡ−ＲＣ登録依頼）ブロック９１０）によりホームネットワークと関連するアクセスネットワークサーバーノード（すなわち、適時にはＧＡＮＣまたはＵＮＣ）をもって登録する。登録に基づいて、ＵＥ装置はＨＰＬＭＮダイアリングが利用可能であることを報告され得る。さらに、上記ネットワークサーバーノードは、種々のオペレータ特定サービス情報および／または加入者特定サービス情報（例えば、国際通話または長距離通話課金の適用可能性、位置特定情報、通話プランおよび関連料金情報、自由形式のテキスト情報を含む他のオペレータ区別型指標など）に関するメッセージ伝達を、ＵＥ装置に提供するために動作可能である。このようなメッセージ伝達は、適切な登録承認メッセージを経由して、またはショートメッセージサービス（ＳＭＳ）もしくは非構造化補足サービスデータ（ＵＳＳＤ）メッセージを経由して実現され得る。さらに、上記ネットワークサーバーノードは、ＨＰＬＭＮにおけるＧＡＮＣ／ＵＮＣノード（すなわち、ホームＧＡＮＣ／ＵＮＣノード）をもって登録されるＵＥ装置に指示を送り得る。それらの種々のメッセージによる応答およびプロセスは、ブロック９１２に示される。
【００３７】
図１０は、本開示の別の例示的サービスシナリオに従ってワイアレスＵＥ装置にオペレータ区別型メッセージ送達を提供するための方式と関連するフローチャートを示す。例示の目的のために、ＨＰＬＭＮ  ＧＡＮＣノードは、種々のサービス要件および特徴要件ならびにＵＥ装置により収集されるネットワーク情報を最終的に解決するネットワークサーバーノードとして提供される。ＵＥ装置からの関連情報を受信するときに（例えば、既に言及された登録依頼メッセージを経由して）、上記ＧＡＮＣノードは、ローミングサービス協定、サービス能力、アドレス調査などを評価するために、ローカルデータベースおよび／または遠隔データベースを含む、１つ以上のデータベース検索を実施し得る（ブロック１００２）。ＵＥ装置が登録されるＶＰＬＭＮが、ＧＡＮ接続性（ブロック１００４）を有すると決定される場合に、次いで、ＨＰＬＭＮ  ＧＡＮＣは、ＶＰＬＭＮ  ＧＡＮＣノード（ブロック１００６）のＵＲＬ／ＩＰアドレスを含むＵＥ装置へ転送メッセージ（例えば、ＧＡ−ＲＣ登録転送メッセージ）を送るために動作可能である。一方、登録されたＶＰＬＭＮがＧＡＮ接続性を有しない場合に、そのサービス論理は、ＧＡＮＣをサポートする他のＶＰＬＭＮが存在するかどうかを決定するために動作可能である。存在する場合には、それらのＵＲＬ／ＩＰアドレス情報はまた、適切なデータベース検索を実施することにより決定され得る。さらに、このような決定は、ＵＥ装置の位置、適用可能なサービス配列の存在など他の情報に応じて評価され得る。これらの決定は、ブロック１００８に集約される。１つの実施形態において、受信された放送情報において識別されたセルは、使用のために利用可能なセルをいまだに含むことを証明する工程を含み得る。上記当初の調査後にいまだ利用可能なＶＰＬＭＮは、必要に応じて、ＨＰＬＭＮとＶＰＬＭＮとの間にローミングの取り決めが存在するかどうかを決定するために、ローミングデータベースに送られ得る。適切なローミングの取り決めが存在する場合には、好ましいＰＬＭＮ情報はまた、上記ＨＰＬＭＮ  ＧＡＮＣに戻され得る。上記の任意の手順後に、ＧＡＮＣのサービス論理は、利用可能なＧＡＮＣのＵＲＬ／ＩＰアドレスを決定するために、別のデータベースにフィルタされたＶＰＬＭＮ情報を伝達し得る。転送が適切に設定される場合に、適切な転送メッセージ（例えば、ＧＡ−ＲＣ登録転送メッセージ）は、複数の利用可能なＶＰＬＭＮと関連するＧＡＮＣの１つ以上のＵＲＬ／ＩＰアドレスを含むＵＥ装置に伝達され得る（ブロック１０１０）。別の方法で、応答メッセージは、幾つかの選択（ブロック１０１２）を示すＵＥ装置に提供され得る。例えば、この応答メッセージは、ＧＡＮＣサービスがＵＥ装置にとって利用可能ではないとの指示を含み得る。別の指示は、ホームネットワークサービスだけが利用可能であることであり得る。別に、またはさらに、上記応答メッセージはまた、適用可能な場合にさらなる能力を示すために動作可能である１つ以上の補足フィールド（例えば、自由形式のテキストフィールド）を含み得る。例示として、このようなフィールドは、既に記載された種々のオペレータ特定サービス情報および／または加���者特定サービス情報（例えば、国際通話または長距離通話課金の適用可能性、位置特定情報およびテキスト情報を含む他のオペレータ区別型指標など）に関して、使用され得る。さらに、上述のように、このようなメッセージ送達は、適切なＧＡ−ＲＣ登録承認メッセージ経由、またはＳＭＳメッセージもしくはＵＳＳＤメッセージ経由で実現され得る。
【００３８】
既に示された転送メッセージの一般的な構文規則に関しては、１つの実施形態は、ＰＬＭＭＮ同一性（例えば、ＭＣＣ、ＭＮＣの組み合わせ）および必須または任意であり得るサポートされたサービスおよび／または特徴のリストを含み得る。別の実施形態において、上記転送メッセージは、ＧＡＮＣアドレス（すなわち、ＵＲＬアドレスまたはＩＰアドレス）およびサポートされたサービスおよび／または特徴のリストを含み得る。転送メッセージ送達の構成および構文規則ならびに位置情報の使用および分類に関するさらなる詳細は、本明細書の既述部分で相互参照される１つ以上の仮特許出願および非仮特許出願において見出され得る。
【００３９】
ＧＡ−ＲＣ登録承認メッセージが行使され得る（図９および図１０のフローチャートに関して既に記載された）シナリオにおいて、メッセージの内容は、先行する記載において言及された任意の補足フィールドに加えて、例えば、ＧＡ−ＲＣプロトコル指標、メッセージ同一性、セル同一性、ロケーションエリア識別、タイマーと帯域の情報、ＧＡＮサービスゾーン情報などの種々の標準化情報要素を含み得る。
【００４０】
ここで図１１を参照すると、例示的なＡＮサーバーノード１１００、例えば、１つの実施形態に従えば、ＧＡＮＣ／ＵＮＣノード１１００の機能ブロック図が、そこに示される。当業者は、ＡＮサーバーノード１１００が、本明細書の既述部分で記載された５Ａ図および５Ｂ図に描かれる構成のいずれかにおいて提供され得ることを認識すべきである。にもかかわらず、ＡＮサーバーノード１１００は、ＵＥ装置により提供される収集されたネットワーク情報およびサービス要件情報／特徴要件情報を解決することに関して既に示された１つ以上の手順を実施するために動作可能である適切なネットワーク選択論理１１０２を含む。したがって、１つの実施形態において、適切な記憶領域が、サービス／特徴要件１１０４および収集されたネットワーク情報１１０６を記憶するために提供され得る。データベース検索論理１１０８は、ローカルおよび／または遠隔データベース、例えば、ＤＢ１１１０−１からＤＢ１１１０−Ｎのデータベース検索およびデータベース呼掛け信号を促進するために提供され得る。
【００４１】
図１２は、本特許開示の教示に従って動作可能なＵＥ装置の実施形態のブロック図を描く。ＵＥ１０２の実施形態は、図１２に示される配列と同様な配列を含み得るが、描かれる種々のモジュールに関するハードウェア、ソフトウェア、またはファームウエアにおける幾つかの改変および改変が存在し得ることは、本明細書による参照において当業者により認識され得る。したがって、図１２の配列は、本特許開示の実施形態に関して限定的よりもむしろ例示的なものとして考慮されるべきである。ＵＥ１０２の実施形態の全体的制御を提供するマイクロプロセッサー１２０２は、複数の帯域に対するマルチモード通信を実現するための送信機／受信機（送受信装置）機能を含む通信サブシステム１２０４と動作可能に結合され得る。実施例として、広域ワイアレスＴｘ／Ｒｘモジュール１２０６、ＧＡＮ  Ｔｘ／Ｒｘモジュール１２０８およびＩ−ＷＬＡＮ  Ｔｘ／Ｒｘモジュール１２１０が例示される。特に示されないが、各Ｔｘ／Ｒｘモジュールは、ローカル発振器（ＬＯ）モジュール、ＲＦスイッチ、ＲＦ帯域フィルタ、Ａ／ＤおよびＤ／Ａ変換器、デジタル信号プロセッサー（ＤＳＰ）などのプロセッシングモジュール、ローカルメモリーなどの１つ以上の他の関連部品を含み得る。通信分野における当業者に明らかであるように、通信サブシステム１２０４の特定の設計は、ＵＥ装置が動作することを意図する通信ネットワークに依存し得る。１つの実施形態において、通信サブシステム１２０４は、音声およびデータの両方の通信をもって動作し得る。
【００４２】
マイクロプロセッサー１２０２はまた、補助入力／出力（Ｉ／Ｏ）１２１８、シリアルポート１２２０、ディスプレイ１２２２、キーボード１２２４、スピーカー１２２６、マイクロフォン１２２８、ランダムアクセスメモリー（ＲＡＭ）１２３０、短距離通信サブシステム１２３２および参考番号１２３３として一般にラベルされる任意の他の装置サブシステムなどのさらなる装置サブシステムとインターフェースする。アクセスを制御するために、ＳＩＭ／ＲＵＩＭインターフェース１２３４はまた、マイクロプロセッサー１２０２との通信において提供される。１つの実施において、ＳＩＭ／ＲＵＩＭインターフェース１２３４は、幾つかの鍵となる構造１２４４および他の情報１２４６（本明細書中以下で言及される、識別関連データおよび加入者関連データならびに１つ以上のＰＬＭＮおよびサービスセットＩＤ（ＳＳＩＤ）リストおよびフィルタ）を有するＳＩＭ／ＲＵＩＭカードをもって動作可能である。
【００４３】
作動システムソフトウェアおよび他の制御ソフトウェアは、フラッシュメモリー１２３５などの永続的記憶モジュール（すなわち、無電源保持形記憶）において実施され得る。１つの実施において、フラッシュメモリー１２３５は、異なる領域、例えば、コンピュータプログラム１２３６に対する記憶領域および装置状態１２３７、アドレスブック１２３９、他の個人的情報マネージャー（ＰＩＭ）データ１２４１および参考番号１２４３として一般にラベルされる他のデータ記憶領域に分離され得る。さらに、適切なネットワーク発見／選択論理１２４０は、種々の手順、相関技術、サービス／特徴要件選択および識別プロセスならびに先行する節で示されるＧＡＮＣ選択メカニズム、を実行するための永続的記憶の一部として提供され得る。ＳＳＩＤ／ＰＬＭＮリスト、選択／スキャンフィルタ、能力指標（本明細書の既述部分においてもまた言及される）などを記憶するための記憶モジュール１２３８は、それと関連する。
【００４４】
先行部分に基づいて、ＵＥ装置論理およびハードウェアは、ＵＥ装置を作動させることに関する適切なサービス要件のセットの識別を促進するための論理モジュールと；少なくとも１つの帯域におけるスキャンを経由してネットワーク情報を収集し、登録依頼メッセージを経由してネットワークノードに、このネットワーク情報および上記サービス要件の少なくとも１つを伝達するための通信サブシステムと；上記登録依頼メッセージに応じる応答メッセージを経由して、上記ネットワークノードから受信されたオペレータ区別型テキスト情報をプロセスするための論理モジュールと、を少なくとも含むことが明らかであるべきである。
【００４５】
本特許開示の実施形態の動作および構成は、既に示された詳細な説明から明らかであると考えられる。示され、かつ記載された例示的な実施形態が、より好ましいものとして特徴付けられ得るが、以下の請求項に示される本発明の範囲から逸脱することなしに、種々の変更および改変をそこに為され得ることが、迅速に理解されるべきである。
【図面の簡単な説明】
【００４６】
以下に添付する図面と関連して考慮される場合に、以下の詳細な説明を参考にして、本特許出願の実施形態のより完全な理解が為され得る。
【図１】図１は、本特許権開示の実施形態が実施され得る、一般化されたネットワーク環境を示す。
【図２】図２は、ユーザー設備（ＵＥ）装置が本特許権開示の教示にしたがって動作可能に配置される、ネットワーク環境の例示的な実施形態を示す。
【図３】図３は、  公共地上モバイルネットワーク（ＰＬＭＮ）などの広域セルラネットワーク（ＷＡＣＮ）が、ジェネリックアクセスネットワーク（ＧＡＮ）および関連コントローラ（ＧＡＮＣ）を通して、接続し得るネットワークシステムの機能構成図を示す。
【図４Ａ】図４Ａは、図３に示されるネットワークシステムをもって、動作可能な回線交換（ＣＳ）プロトコルスタックの例示的な実施形態を示す。
【図４Ｂ】図４Ｂは、図３に示されるネットワークシステムをもって、動作可能なパケット交換（ＰＳ）プロトコルスタックの例示的な実施形態を示す。
【図５Ａ】図５Ａは、各ＰＬＭＮが対応するＧＡＮＣによって機能を果たさせられる１つの実施形態に従って、アクセスネットワーク（ＧＡＮまたはワイアレスＬＡＮ）が、複数のＰＬＭＮと接続するために動作可能である、ネットワーク装置を示す。
【図５Ｂ】図５Ｂは、単一のＧＡＮＣ上の複数の仮想ＧＡＮＣ区画が、その対応するＰＬＭＮに機能を果たさせるために動作可能である１つの実施形態に従って、アクセスネットワーク（ＧＡＮまたはワイアレスＬＡＮ）が、複数のＰＬＭＮと接続するために動作可能である、ネットワーク装置を示す。
【図６】図６は、１つの実施形態に従って一般化されたネットワーク発見および選択スキームのフローチャートである。
【図７Ａ】図７Ａは、本開示の目的のための１つの実施形態に従って、ネットワーク情報を収集する方法についてのフローチャートである。
【図７Ｂ】図７Ｂは、１つの実施形態に従ったＧＡＮＣ発見および登録方法についてのフローチャートである。
【図８Ａ】図８Ａは、１つの実施形態に従った一般化されたＧＡＮＣ選択および転送方式と関連するフローチャートである。
【図８Ｂ】図８Ｂは、１つの実施形態に従った一般化されたＧＡＮＣ選択および転送方式と関連したフローチャートである。
【図９】図９は、本開示の１つの実行に従って、ワイアレスＵＥ装置にオペレータ区別型メッセージ送達を提供するための方式と関連するフローチャートである。
【図１０】図１０は、本開示の別の実行に従って、ワイアレスＵＥ装置にオペレータ区別型メッセージ送達を提供するための方式と関連するフローチャートである。
【図１１】図１１は、１つの実施形態に従って、例示的なＧＡＮＣ／ＵＮＣノードの機能構成図を示す。
【図１２】図１２は、本特許権開示の教示に従って、動作可能なＵＥ装置の実施例の機能構成図を示す。
【図１】
2008522461.tif 000003
【図２】
2008522461.tif 000004
【図３】
2008522461.tif 000005
【図４Ａ】
2008522461.tif 000006
【図４Ｂ】
2008522461.tif 000007
【図５Ａ】
2008522461.tif 000008
【図５Ｂ】
2008522461.tif 000009
【図６】
2008522461.tif 000010
【図７Ａ】
2008522461.tif 000011
【図７Ｂ】
2008522461.tif 000012
【図８Ａ】
2008522461.tif 000013
【図８Ｂ】
2008522461.tif 000014
【図９】
2008522461.tif 000015
【図１０】
2008522461.tif 000016
【図１１】
2008522461.tif 000017
【図１２】
2008522461.tif 000018
【国際調査報告】
2008522461.tif 000019
2008522461.tif 000020
2008522461.tif 000021